【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
身体に埋込及び／又は付加することができる励起可能リード線なしマーカーを感知するための医療システムにおいて、
剛性支持部材と、
前記支持部材上に局所的に平面のアレイに配置された複数の電磁場センサと、
前記支持部材によって担持された複数の感知信号出力経路と、
を含み、
各感知信号出力経路は、各感知信号出力経路が前記電磁場センサの１つからの少なくとも実質的に垂直な場の成分を表す出力を供給するように、該電磁場センサの１つに結合される、
ことを特徴とする装置。
【請求項２】
前記支持部材は、実質的に剛性材料の平坦支持パネルを含み、
前記場のセンサは、前記支持パネルにより共通平面に担持される、
ことを特徴とする請求項１に記載の装置。
【請求項３】
前記支持部材は、少なくとも１つの軸線に沿って湾曲した支持パネルを含み、
前記場のセンサは、前記支持パネルにより担持される、
ことを特徴とする請求項１に記載の装置。
【請求項４】
撓みシートを更に含み、
前記電磁場センサ及び前記感知信号経路は、前記撓みシート上の導電堆積物である、
ことを特徴とする請求項１に記載の装置。
【請求項５】
前記電磁場センサの少なくともいくつかは、１５を超える巻きを有するコイルとして配置されることを特徴とする請求項１に記載の装置。
【請求項６】
前記電磁場センサの少なくともいくつかは、９０よりも少ない巻きを有するコイルとして配置されることを特徴とする請求項１に記載の装置。
【請求項７】
前記電磁場センサの少なくともいくつかは、コイルとして配置されることを特徴とする請求項１に記載の装置。
【請求項８】
前記電磁場センサの少なくともいくつかは、正方形渦巻コイルとして配置されることを特徴とする請求項１に記載の装置。
【請求項９】
前記電磁場センサの少なくともいくつかは、コイルの中心点間の約６７ミリメートルのピッチを有するコイルとして配置されることを特徴とする請求項１に記載の装置。
【請求項１０】
前記電磁場センサは、導電性の巻きの約３０コイルの構成を含むことを特徴とする請求項１に記載の装置。
【請求項１１】
前記電磁場センサは、約０．１５ミリメートルの幅を有する導電トレースのコイルの構成を含むことを特徴とする請求項１に記載の装置。
【請求項１２】
前記電磁場センサは、コイル内の隣接トレース間に約０．１３ミリメートルの間隙幅を有する導電トレースのコイルの構成を含むことを特徴とする請求項１に記載の装置。
【請求項１３】
複数の前置増幅器を更に含み、
各前置増幅器は、前記感知信号出力経路の１つに結合され、
各前置増幅器はまた、高電圧保護抑制ネットワークを有する差動増幅器である、
ことを特徴とする請求項１に記載の装置。
【請求項１４】
複数の電磁場センサは、３００から５００キロヘルツの範囲内の電磁場信号を受信するように構成されることを特徴とする請求項１に記載の装置。
【請求項１５】
前記電磁場センサは、コイルのアレイを含み、
各コイルは、磁束を前記励起可能無線ターゲットから受け取り、該コイルの内側部分を通る磁束の量を表す電流信号を生成する、
ことを特徴とする請求項１に記載の装置。
【請求項１６】
前記４つの電磁場センサは、前記支持パネル上に隣接する２ｘ２アレイに配置されることを特徴とする請求項１に記載の装置。
【請求項１７】
前記電磁場センサは、最大寸法を有するアレイに配置され、この最大寸法は、該アレイと前記リード線なしマーカーの間の距離の約３００％よりも大きくないことを特徴とする請求項１に記載の装置。
【請求項１８】
前記４つの電磁場センサに対して垂直に配置され、該４つの電磁場センサに対して垂直な方向に前記無線ターゲットの励起から発せられる電磁場を受け取るように構成された少なくとも別の電磁場センサを更に含むことを特徴とする請求項１に記載の装置。
【請求項１９】
身体に埋込及び／又は付加することができるリード線なしマーカーを感知するための医療システムにおいて、
リード線なしマーカーによってもたらされた磁束を受け取るための手段、
を含み、
前記受け取るための手段は、身体の外部に位置決めされて一組の電気信号を発生し、局所的に平面のアレイに配置されて該局所的に平面のアレイに垂直な磁束に応答し、各電気信号が、手段の１つの有効区域に亘って積分された該磁束に実質的に比例する、磁束を感知するための少なくとも４つの手段を含み、
各信号が前記電気信号の１つに実質的に比例する別々の感知信号を出力するための少なくとも４つの手段、
を更に含むことを特徴とする装置。
【請求項２０】
身体に埋込及び／又は取り付けることができる無線マーカーを感知するためのシステムにおいて、
マーカーに磁場信号を放射させるために該マーカーを励起する段階と、
前記放射磁場信号を磁場センサの局所的平面アレイで受信する段階と、
各信号が前記場のセンサの１つによって受信した前記磁場信号を表す感知信号を、対応する出力チャンネルに出力する段階と、
を含むことを特徴とする方法。
【請求項２１】
身体に埋込及び／又は付加することができる無線マーカーに磁場信号を放射させるために該無線マーカーを活性化し、該放射磁場信号に基づいて該無線マーカーの位置を判断するためのシステムにおいて、該放射磁場信号を受信するために該システムで使用される装置であって、
支持パネルと、
前記支持パネルによって少なくとも部分的に担持され、該支持パネル上の異なる位置で磁場信号の少なくとも実質的に垂直な成分を感知するように構成された、少なくとも３つの局所的に平面の磁場センサのアレイと、
各出力ポートが信号を単一の磁場センサから受信し、該磁場信号の１つの成分に対応する出力信号を該単一の場のセンサで供給するように、出力ポートが対応する磁場センサと個々に結合した３つの又はそれ以上の活性出力ポートと、
を含むことを特徴とする装置。
【請求項２２】
ヒト内又はヒト上の励起可能無線マーカーを感知して位置発見するためのシステムにおいて、該マーカーによって放射された場を無線で感知するための感知システムであって、
局所的に平面の支持パネルと、
前記支持パネルによって担持された少なくとも４つの場のセンサを含むセンサアレイと、
を含み、
前記場のセンサは、少なくとも実質的に類似し、互いに対して局所的に平面であり、
各場のセンサは、該センサに対して少なくとも実質的に垂直な場の成分にのみ応答する、
ことを特徴とする感知システム。
【請求項２３】
所定の感知距離からの測定のために無線で送信される場を放射するように構成された埋込可能マーカーの位置を発見する用途において、
支持部材と、
前記支持部材によって担持された複数の場のセンサと、
を含み、
前記場のセンサは、互いに対して少なくとも実質的に局所的に平面であり、個々の場のセンサと垂直な場の成分に応答し、
前記場のセンサはまた、所定の感知距離の約１００％から３００％の最大寸法を有する区域を占める、
ことを特徴とする感知システム。
【請求項２４】
患者内のターゲット位置を判断するためのシステムであって、
無線で送信された励起信号に応答して場を無線で送信するように構成された共振磁気回路を有するマーカーと、
（ａ）実質的に剛性の支持部材と（ｂ）該支持部材によって担持された少なくとも４つの場のセンサを含むセンサアレイとを含む感知システムと、
を含み、
前記場のセンサは、少なくとも実質的に類似し、互いに対して局所的に平面である、
ことを特徴とするシステム。
【請求項２５】
無線で送信された励起信号に応答してマーカー信号を無線で送信するように構成された無線マーカーを感知して位置を発見するためのシステムを製造する方法であって、
マーカー信号に基づいて作動中のマーカーからセンサアレイが位置決めされることになる感知距離を選択する段階と、
支持部材と該支持部材によって担持された複数の場のセンサとを有する感知システムを準備する段階と、
を含み、
前記場のセンサは、互いに対して局所的に平面のアレイに配置され、該場のセンサと少なくとも実質的に垂直な磁場成分に応答し、
前記場のセンサはまた、前記感知距離の約１００％から３００％の最大寸法を有するアレイに配置される、
ことを特徴とする方法。
【請求項２６】
無線で送信された励起信号に応答してマーカー信号を無線で送信するように構成された無線マーカーを感知して位置を発見するためのシステムを製造する方法であって、
マーカー信号に基づいて作動中のマーカーからセンサアレイが位置決めされることになる感知距離を選択する段階と、
支持部材と該支持部材によって担持された複数の場のセンサとを有する感知システムを準備する段階と、
を含み、
前記場のセンサは、互いに対して局所的に平面のアレイに配置され、該場のセンサと少なくとも実質的に垂直な場の成分に応答し、
前記場のセンサはまた、前記感知距離の約１００％から３００％の最大寸法を有するアレイに配置され、
前記感知システムを前記感知距離に少なくともほぼ等しい距離だけ作動中の前記マーカーから離して位置決めする命令を準備する段階、
を更に含むことを特徴とする方法。